(57)【要約】【課題】使用者が目的とする古語データが活用形であっても、古語辞典に目的の古語データの終止形が存在する場合には、自動的に目的の古語データの終止形、活用形を判断し、使用者が古語辞典で目的の古語データに必要とする情報を瞬時に見つけ出すことのできる検索方法と検索装置を提供する。【解決手段】外部入力手段から入力された文字データの終止形及び活用形を判断し、データメモリに記憶されている古語辞書データが外部入力手段から入力された文字データの終止形及び活用形に対応する文字データであるかを照合し、前記データメモリに記憶されている前記古語辞書データが前記外部入力手段から入力された文字データの活用形に対応する終止形である場合、その辞書データを検索対象一致語と判定する検索方法とする。【選択図】    図２
2004234062.tif 000002
【特許請求の範囲】
【請求項１】
少なくとも文字データの入力ができる外部入力手段と、前記外部入力手段から入力した前記文字データを表示する表示装置と、予め多数の語句を収録した古語辞書データを記憶してあるデータメモリとを備える電子辞書における古語検索方法であって、前記外部入力手段から入力された前記文字データの終止形及び活用形を判断し、前記データメモリに記憶されている前記古語辞書データが前記外部入力手段から入力された前記文字データの終止形及び活用形に対応する文字データであるかを照合し、前記データメモリに記憶されている前記辞書データが前記外部入力手段から入力された文字データの活用形に対応する終止形である場合、その辞書データを検索対象一致語と判定し、表示装置へ表示させることを特徴とする古語検索方法。
【請求項２】
使用者が前記電子辞書により古語辞典を検索する場合、入力データが活用形であっても、その活用形に対応する終止形データを検索する事ができることを特徴とする請求項１に記載の古語検索方法。
【請求項３】
使用者が前記電子辞書により任意の終止形古語データを古語辞典で検索した場合、その終止形に対応する活用形データを任意のキーを入力する事で、追加検索する事ができることを特徴とする請求項１に記載の古語検索方法。
【請求項４】
使用者が前記電子辞書により任意の古語データを検索した場合、任意のキーを入力する事で、基本形、未然形、連用形、終止形、連体形、已然形、命令形のそれぞれの活用形に振り分けて追加検索する事ができることを特徴とする請求項１に記載の古語検索方法。
【請求項５】
少なくとも文字データの入力ができる外部入力手段と、
前記外部入力手段から入力した前記文字データを表示する表示装置と、
予め多数の語句を収録した古語辞書データを記憶してあるデータメモリと、
前記外部入力手段から入力された前記文字データの終止形及び活用形を判断し、前記データメモリに記憶されている前記古語辞書データが前記外部入力手段から入力された前記文字データの終止形及び活用形に対応する文字データであるかを照合し、前記データメモリに記憶されている前記辞書データが前記外部入力手段から入力された文字データの活用形に対応する終止形である場合、その辞書データを検索対象一致語と判定する検索手段と、
を備えることを特徴とする電子辞書。
【発明の詳細な説明】
【０００１】
【発明の属する技術分野】
本発明は、使用者が古語辞典を検索する場合、辞書データには存在しない活用形データを入力しても、入力された活用形データに対応する終止形を判断し、辞書データを検索する方法およびその検索方法を用いた電子辞書であり、使用者が古語データの活用形と終止形にとらわれずに最適な古語データを検索する装置に係る。
【０００２】
【従来の技術】
従来の古語辞典検索機能を備えた電子辞書では、使用者が調べたいと思う古語データが仮に活用形である場合に活用形のまま文字入力してしまうと、その活用形データが電子辞書に保存されていないデータであるならば、例えその活用形データの古語に対応する終止形データの古語が保存されていても、検索する事はできなかった。従来では、電子辞書に存在するデータ、またはそのデータに近似するデータのみしか検索する事ができず、使用者が調べたいと思う目的のデータが、終止形データなのか活用形データなのかは判断できず、入力したデータと一致する、または近似するデータを検索一致語と判断し、使用者が目的としている辞書の機能をすべて果たす事はできなかった。そのため、使用者が調べたいと思う目的の古語データが活用形である場合には、その活用形データの終止形を他の方法で調べ直し、その終止形を元に辞書を検索する必要があった。
【０００３】
【発明が解決しようとする課題】
使用者が電子辞書による古語辞典の検索に求める性能は、迅速且つ正確に目的とする古語データの意味を調べることである。従来では、使用者が入力した目的の古語データが活用形であるために古語辞典に存在しない場合、目的とする古語データの終止形が古語辞典に存在しても、そのデータを検索する事はできなかった。実際に使用者が求めている電子辞書による古語辞典の検索では、使用者が目的とする検索したい古語データの文字入力が終止形、活用形に係わらず、目的とする古語データが活用形なのか終止形なのか、またはその意味を調べる事が重要である。
【０００４】
そこで、上記観点に着目し、本発明の目的は、使用者が目的とする古語データが活用形であっても、古語辞典に目的の古語データの終止形が存在する場合には、自動的に目的の古語データの終止形、活用形を判断し、使用者が古語辞典で目的の古語データに必要とする情報を瞬時に見つけ出すことのできる装置を提供することにある。
【０００５】
【課題を解決するための手段】
上記課題を解決する手段として、本発明では、使用者が入力した古語データをデータの終止形、活用形に係わらず、古語辞典を検索することにある。使用者によって入力された古語データは、まず終止形か活用形を自動的に判断する。次に、データメモリに記憶されている古語辞典データより、入力された古語データを検索する。入力された古語データが活用形の場合、古語辞典データにその活用形データが存在すれば、そのまま外部表示装置へ転送し、古語辞典データに入力された古語データの活用形が存在せずに終止形のみが存在する場合は、自動的に終止形データを外部表示装置へ転送する。
【０００６】
この古語辞典データ検索手段により、使用者が求めるべき古語データの情報を、最も良い状態で検索する事を可能にする。
【０００７】
【発明実施の形態】
上記のように構成された古語辞典の検索機能においては、外部入力手段によって入力された古語データを、終止形と活用形に自動的に変換し、それぞれのデータを外部記憶メモリに格納する。外部入力手段によって入力された古語データより、データメモリに記憶された古語辞典データを検索し、古語辞典データに対象一致語が存在すれば、そのまま表示データ制御手段を通して表示情報に変換され、外部表示装置で表示される。この時、古語辞典データに対象一致語が存在しなければ、外部記憶メモリに格納した古語データの終止形と活用形を古語辞典データと比較検索し、外部記憶メモリに格納した古語データと一致すれば、そのデータを表示データ制御手段を通して表示情報に変換され、外部表示装置により表示される。
【０００８】
【実施例】
以下に、本発明の実施例を図１および図２に基づいて説明する。
【０００９】
図１は、本発明に係る電子辞書の本体を示す図であり、図２は、本発明に係る電子辞書の古語検索処理フローの詳細を示す図である。
【００１０】
外部入力キー１０１は、文字を入力するための文字入力キー１ｂ、実行キー１ｄ、表示スクロールキー１ｃ等からなる。
【００１１】
文字入力手段１０２は、外部入力キー１０１により入力された文字列を、一時記憶する。なお、このとき同時に、外部入力キー１０１によって入力された文字列は、自動的に活用形と終止形に変換し（ステップ１０３）、外部記憶装置１０６に記憶する。
【００１２】
辞書データは、予めデータメモリに記憶されている古語辞典データとする。
【００１３】
文字入力手段１０２で記憶された入力データとデータメモリに記憶されている古語辞典データを比較し（ステップ１０４）、入力データと一致か不一致かを判断する。
【００１４】
入力されたデータとデータメモリに記憶されている古語辞典データが一致した場合（ステップ１０８）、表示データ制御手段１１０により検索一致データを表示用コードに変換し、表示装置１１１によって表示される。
【００１５】
また、入力されたデータとデータメモリに記憶されている古語辞典データが不一致の場合（ステップ１０５）には、外部記憶装置１０６に記憶された入力データの終止形と活用形を読み込み、古語辞典データと比較し（ステップ１０７）、変換された終止形、活用形データと一致か不一致かを判断する。
【００１６】
変換データとデータメモリに記憶された古語辞典が一致した場合には、その検索一致データを、また不一致の場合には近似データを、表示データ制御手段１１０により検索一致データ、または近似データを表示用コードに変換し、表示装置１１１によって表示される。
【００１７】
では、具体的に動作原理を説明する。使用者が文字入力キー１ｂより任意の古語データ、例えば「せよ」と入力する。この時点では、入力された古語データが終止形（「す」）なのか活用形なのかは判断出来ない。そこで、入力された古語データを自動的に終止形か活用形かを判断し（ステップ１０３）、使用者によって入力された古語データが終止形ならば、そのデータを活用形に変換し外部記憶装置１０６に記憶する。同様に、入力された古語データが活用形の場合は、そのデータを終止形（前記の場合は「す」）に変換し外部記憶装置１０６に記憶する。
【００１８】
次に、使用者によって任意に入力された古語データ「せよ」を、データメモリに記憶されている古語辞典のデータと比較する。この時、任意に入力された古語データ「せよ」が古語辞典データと一致した場合、そのデータ（「せよ」）を表示制御手段を介して表示装置１１１へ表示する。またこの時、活用形キー１ｅを押すことで、任意に入力された古語データ「せよ」の活用形（終止形の場合「す」）も検索する事が出来る。また、使用者によって任意に入力された古語データ「せよ」が古語辞典データと不一致の場合には、外部記憶装置１０６に記憶された任意の古語データ「せよ」の活用形（この場合「す」）で、再び古語辞典のデータと比較する。比較したデータが一致すれば一致した古語辞典データを、不一致なら任意に入力された古語データの近似データを、それぞれ表示制御手段を介して表示装置１１１へ表示する。
【００１９】
【発明の効果】
本発明では、使用者が任意の古語データを古語辞典で調べる際に、任意の古語データが終止形、活用形に係わらず、検索出来る事を特徴とする。この前記古語辞典活用形検索機能を用いる事で、使用者が目的とする任意の古語データを、簡潔に幅広く調べる事ができ、また、使用者が入力した任意の古語データを、使用者が終止形と活用形を意識する事なく検索でき、且つ語義に対する探求心を深めるための学習課程に適した古語辞典の検索機能を実現することができる。なお、本機能を活用する事により、学習レベルに見合った古語辞典の検索が可能になり、電子辞書の特性を生かし優れた古語辞典を実現できる。
【図面の簡単な説明】
【図１】本発明に係る電子辞書を示す図。
【図２】本発明に係る電子辞書の古語検索処理フローの詳細を示す図。
【図３】本発明に係る電子辞書の古語検索処理フローの概要を示す図。
【図４】従来の電子辞書における古語検索処理フローの概要を示す図。
【符号の説明】
１ａ      モード切替キー
１ｂ      文字入力キー
１ｃ      表示スクロールキー
１ｄ      実行キー
１ｅ      活用形キー（検索機能オプション）
１１，１１１    表示装置
１２      電子辞書本体
１０１    外部入力キー
１０２    文字入力手段
１０３    入力データの活用形変換
１０４    古語辞典データ検索処理
１０５    検索不一致
１０６    活用形データ変換後の外部記憶装置
１０７    活用形データでの古語辞典データ検索処理
１０８    検索一致データ
１０９    検索不一致の場合の近似データ
１１０    表示データ制御手段
【図１】
2004234062.tif 000003
【図２】
2004234062.tif 000004
【図３】
2004234062.tif 000005
【図４】
2004234062.tif 000006